(57)【特許請求の範囲】
【請求項１】
頂板部及びスカート部から成り、スカート部内面には容器口部と係合する突起部が形成され、且つ頂板部内面には容器口部との密封係合部が設けられているキャップ本体、該キャップ本体のスカート部の外面を覆うように該キャップ本体に一体に設けられ且つ外周に開封用タブを有する連続リング状部材、前記キャップ本体のスカート部に軸線方向に延びるように周方向に間隔をおいて設けられた複数個の切り欠き部、開封用タブの反対側に設けられた連続リング状部材とスカート部との連結部、スカート部とリング状部材との間に設けられた周状乃至円弧状の切断面、切断面よりも下側或いは上側においてスカート部とリング状部材とを連結する複数個の破断可能な橋絡部から成るキャップであって、前記リング状部材には、前記切り欠き部に対応する位置に径外方向への突起部が設けられており、キャップの少なくともリング状部材は着色されており、連結部に接続する位置でリング状部材の白化による開封明示が行われるようにしたことを特徴とする樹脂製キャップ。
【請求項２】
前記密封係合部が、容器口部内に挿入されるインナープラグからなることを特徴とする請求項１記載の樹脂製キャップ。
【発明の詳細な説明】
【０００１】
【産業上の利用分野】
本発明は、向上したタンパーエビデント性、密封信頼性及び開封性との組合せを有する樹脂製キャップに関し、より詳細には、橋絡部の破断と共にキャップ部材の色の変化により開封操作に付されたものであるか否かが一目でわかり、確実なタンパーエビデント性（ＴＥ性）と、信頼性のある密封性能と容易且つ確実な易開封性能とが両立しているキャップに関する。
【０００２】
【従来の技術】
樹脂製キャップは、一体成形が可能で、成形性に優れると共に、可撓性にも優れているため、打栓操作により容器口部に固定することができ、従来より種々の形態で広く用いられている。
【０００３】
密封性に優れると共に、容器口部から道具を用いずに容易に取り外すことができるようにした開封性に優れた樹脂製キャップは、既に種々提案されており、例えば特公昭５１−１０５５５号公報（公知例１）には、スカート壁の外面に把手を備えた合成樹脂製の不正防止蓋が開示されている。
この蓋の上記把手は、スカート壁の外周面とは間隔をおいて且つこれを取り囲む様に形成されているが、完全なリングではなく円弧状であり、その両端部は、スカート壁の外面に強固に固定されている。更に、この把手の内面は、周方向に適当な間隔をおいて形成された切断容易な複数の連結片によってスカート壁の外面に接続されている。従って、容器に装着されている蓋の把手を手で引っ張り上げると、上記連結片は切断し、この把手は、その両端部でのみスカート壁に結合した状態となり、更に把手を引っ張り上げることにより、把手が形成されていない部分（把手の両端部間）からスカート壁がめくれ、蓋が容器から取り除かれるというものである。
【０００４】
また、本発明者らの提案にかかる特開平９−２２１１５５号公報（公知例２）には、頂板部及びスカート部から成り且つスカート部内面には容器口部と係合する突起（アンダーカット部）が設けられているキャップ本体、及び該キャップ本体のスカート部の外面を覆うように該キャップ本体に一体に設けられた連続リング状部材から成る樹脂製キャップにおいて、前記キャップ本体のスカート部には軸線方向に延びる複数個の切り欠きが周方向に間隔をおいて設けられ、該キャップ本体のスカート部と該リング状部材とは切断面を介して分離しているが、切断面よりも上側或いは下側の複数個の破断可能な橋絡部或いは更に連結部を介して一体に形成されていると共に、キャップ本体スカート部外面とリング状部材内面とは前記切断面の部分で密着しており、該リング状部材の一部には開封用タブが形成されていることを特徴とするキャップが記載されている。
【０００５】
【発明が解決しようとする課題】
上記公知例１は、栓抜等の格別の道具を必要とせずに、手による開封を可能にし、且つ不正防止機能をも付与したプラスチックキャップを提供したものとして意義深いものではあるが、密封信頼性と易開栓性との両立の点で問題がある。即ち、上記の把手はスカート壁の外周面と間隔をおいて且つこれを取り囲むように形成されているため、この把手は上記突条によるシール効果を補強することができない。そのため、上記突条はそれ自体で開栓のし易さと密封性の両方を備える必要があるが、実際には、開栓性をよくすると、密封信頼性が不満足なものとなってしまうのである。
【０００６】
公知例２は、リング状部材が橋絡部を保護して打栓操作が容易に行われると共に、橋絡部を破断してリング状部材をはずすことにより、切り欠き部を設けたスカート部が外方に広がり、手による開封も容易に行われ、またタンパーエビデント機能も有しているが、未だ密封保持性と易開栓性との両立の点で、またタンパーエビデント機能の点でも改善の余地が残されている。
【０００７】
すなわち、リング状部材を上方に引張って橋絡部を破断して開封操作を行った後、再びキャップを容器に装着してリング状部材を元の状態に戻した場合には、必ずしも明確に開封されたものであることを示すことができないという問題がある。また、リング状部材の厚みには、密封保持性と成形性との両立に関して一定の範囲があり、この厚みが厚すぎるとスカート部内面の突起部（アンダーカット部）を型抜きすることが困難となり、一方リング状部材の厚みが薄すぎると、前記突起部で容器口部を保持する力が不十分となって、密封保持性が不十分となりやすい。このようにして、リング状部材の厚みは一定の範囲に定められるわけであるが、この場合、スカートの切り欠き部では、突起部も切り欠かれているため、この切り欠き部乃至その近傍での容器口部の保持力が不十分となりやすいという問題がある。
【０００８】
従って本発明の目的は、上記従来技術の問題が解消され、向上したタンパーエビデント性、密封信頼性及び開封性との組合せを有する樹脂製キャップ、特に従来の金属製王冠に代わって容器口部への打栓に用いることができ、橋絡部の破断と共にキャップ部材の色の変化によってキャップが開封操作に付されたものであることが一目でわかり、確実なタンパーエビデント性（ＴＥ）が得られ、しかも信頼性のある密封性能と容易且つ確実な易開封性能とが両立しているキャップを提供するにある。
【０００９】
【課題を解決するための手段】
本発明によれば、頂板部及びスカート部から成り、スカート部内面には容器口部と係合する突起部が形成され、且つ頂板部内面には容器口部との密封係合部が設けられているキャップ本体、該キャップ本体のスカート部の外面を覆うように該キャップ本体に一体に設けられ且つ外周に開封用タブを有する連続リング状部材、前記キャップ本体のスカート部に軸線方向に延びるように周方向に間隔をおいて設けられた複数個の切り欠き部、開封用タブの反対側に設けられた連続リング状部材とスカート部との連結部、スカート部とリング状部材との間に設けられた周状乃至円弧状の切断面、切断面よりも下側或いは上側においてスカート部とリング状部材とを連結する複数個の破断可能な橋絡部から成るキャップであって、前記リング状部材には、前記切り欠き部に対応する位置に径外方向への突起部が設けられており、キャップの少なくともリング状部材は着色されており、連結部に接続する位置でリング状部材の白化による開封明示が行われるようにしたことを特徴とする樹脂製キャップが提供される。
【００１０】
【発明の実施形態】
本発明のキャップは、
Ａ．頂板部及びスカート部から成り、スカート部内面には容器口部と係合する突起部が形成され、且つ頂板部内面には容器口部との密封係合部が設けられているキャップ本体、
Ｂ．キャップ本体のスカート部の外面を覆うように該キャップ本体に一体に設けられ且つ外周に開封用タブを有する連続リング状部材、
Ｃ．前記キャップ本体のスカート部に軸線方向に延びるように周方向に間隔をおいて設けられた複数個の切り欠き部、
Ｄ．開封用タブの反対側に設けられた連続リング状部材とスカート部との連結部、
Ｅ．スカート部とリング状部材との間に設けられた周状乃至円弧状の切断面、切断面よりも下側或いは上側においてスカート部とリング状部材とを連結する複数個の破断可能な橋絡部、
から構成されるという構造的な特徴を有し、リング状部材には、スカート部に設けられた切り欠き部に対応する位置に、径外方向に突出した突起部が設けられており、また、少なくともリング状部材が着色されて、開封操作に付されると、リング状部材の連結部に接続する位置が白化するという機能的な特徴を有する点に重要な特徴を有するものである。
【００１１】
更に、本発明のキャップにおいては、
Ｆ．頂板部内面の密封係合部が、容器口部内に挿入されるインナープラグであること、
が特に好ましい。
【００１２】
本発明のキャップ本体では、頂板部内面に設けられる容器口部との密封係合部として、容器口部の内周側と係合するインナープラグを形成することにより、容器口部内周側で密封が行われ、一方スカート内面には、容器口部の外周と係合する突起部（アンダーカット部）が形成されており、これらの組合せで、容器口部へのキャップの確実な保持と密封保持とが可能となる。
【００１３】
キャップ本体のスカート部に、軸線方向に延びる複数個の切り欠きを周方向に間隔をおいて設けたことにより、開栓に際してはスカート部が径外方向に広がることが可能となり、これによりキャップ本体の容器口部からの取り外しが容易に行われる。
【００１４】
このキャップでは、キャップ本体のスカート部と該リング状部材とは周状乃至円弧状の切断面を介して分離しているが、これらを切断面よりも下側或いは上側の複数個の破断可能な橋絡部及び連結部を介して一体に形成すると共に、キャップ本体スカート部外面とリング状部材内面とは前記切断面の部分で密着可能とする。
【００１５】
スカート部とリング状部材とを切断面の部分で密着させることにより、少なくとも閉栓状態でキャップ本体スカート部がリング状部材によりタガ締めされ、スカート部が外方に広がるのが防止され、容器口部に対する確実な密封性が維持される。これは、スカート部に軸方向に延びる切り欠きが設けられている本件キャップの場合特に重要である。即ち、スカート部の切り欠きは、容器口部外周とスカート部の突起部（アンダーカット部）との係合状態を弱めるように作用するが、これにリング状部材によるタガ締め力が作用することにより、係合状態を強固且つ確実のものとできる訳である。
【００１６】
また、切断面よりも下側或いは上側に、キャップ本体のスカート部とリング状部材とを連結する複数個の破断可能な橋絡部及び連結部を設けたので、切断面の刻設が橋絡部或いは更に連結部に悪影響を及ぼすのが防止され、更に打栓時にも、キャップ本体スカート部外面とリング状部材内面とが切断面の部分で密着するので、破断しやすい橋絡部に外力が作用するのが防止され、打栓時における橋絡部の保護が万全であるという利点が達成される。
【００１７】
更に、リング状部材の一部には径外方向に突出した開封用タブを形成すると共に、開封用タブの反対側に、スカート部と連続リング状部材との連結部を設けたので、開封用タブを押し上げることにより、前記切断面で、リング状部材とスカート部との間でずれを生じ、キャップ本体とリング状部材を連結する橋絡部が剪断力により切断される。次いで、リング状部材を更に上に持ち上げることにより、連結部が支点となって、連結部側に開栓力が加わり、後に詳述する操作により、開栓が進行する。即ち、キャップ本体スカート部には切り欠きが設けられているため、リング状部材がこのスカート部から取り外されて持ち上げられた状態では、スカート部の径外方向への拡がりが自由となり、連結部側のキャップ本体は容易に容器口部から離脱可能となり、道具を用いることなく容易に開封することができる。
【００１８】
また、開封が既に行われている場合には、橋絡部が破断されており、リング状部材を自由に上下できるので、これにより既に開封されていることを知ることができるが、本発明においては、更にタンパーエビデント性を向上するため、以下に述べる通り、着色されたリング状部材が開封操作に付された場合には白化することにより、一目で既に開封されたものであることを明示することによって、確実なタンパーエビデント性（ＴＥ性）が得られるようにする。
【００１９】
すなわち、本発明では、開封用タブの反対側に、スカート部と連続リング状部材との連結部を設けているので、リング状部材を上に持ち上げることにより、連結部が支点となって、連結部側に開栓力が加わり、かかる開栓力によりリング状部材の連結部に接続する位置には応力によりひずみが発生する。この応力が降伏点以上に達することにより塑性変形が生じ、歪みは永久歪みとなって白化する。従って、少なくともリング状部材が着色されていることにより、かかる白化された部分は顕著に目立つようになり、橋絡部の破断と共にキャップのタンパーエビデント性が向上するのである。
【００２０】
本発明においては、開栓力により永久歪みの生じるリング状部材が着色されていればその目的を達成することができるが、キャップ全体が着色されていても勿論良く、キャップを形成すべき樹脂に後述する着色顔料を配合することによって容易に作成することができる。
かくして、リング状部材の把持による持ち上げを続行することにより、連結部に接続する位置でリング状部材が白化して、開封操作が行われたことが一見して明瞭となり、タンパーエビデント性が顕著に向上する。
【００２１】
本発明のキャップの頂板部の内面には、インナープラグの外側に容器口部の頂面、外周側コーナ部或いは外周面と係合するリング状の小突起部が形成されていることが密封性の点で好ましい。
本発明のキャップでは、既に指摘したとおり、頂板部に容器口部に挿入されるインナープラグが形成され、一方スカート部には容器口部の外周と係合する突起部を設けることにより、キャップの容器口部への保持と密封性維持とが可能となる。
【００２２】
しかしながら、インナープラグと容器口部との密封係合は、インナープラグの外周面と容器口部の内周面とが径方向に圧接する係合であるが、インナープラグの外側に設けたリング状の小突起部では、容器口部の頂面、外周側コーナ部或いは外周面と、リング状の小突起部とが容器の軸方向に圧接する密封係合が可能となっている。
本発明のこのタイプのキャップでは、かくして方向性の異なる２種類の密封係合が可能となっており、密封信頼性が向上している。
更に、容器口部の頂面或いはそれよりも外周側での密封が行われるため、容器口部頂面が優れた衛生状態に維持されるという付加的な利点もある。
【００２３】
上記のリング状小突起付きキャップでは、前記小突起部の内側及び／又は外側にはリング状の溝部が形成されていることが好ましい。このリング状小突起と容器口部とは軸方向に圧接されるため、リング状突起は当然圧縮変形されるが、その内側及び／又は外側の溝はこの圧縮変形を許容し、リング状突起にクッション性を付与する作用がある。
また、リング状小突起とインナープラグとの間に形成されたリング状溝は、それらの一方の変形が他方に悪い影響を及ぼすのを防止し、夫々の密封機能を独立のものに維持する作用もある。
【００２４】
本発明では、リング状部材に対して、スカート部の切り欠き部に対応する位置に径外方向への突起部を形成することが好ましい。
即ち、リング状部材の厚みには、密封保持性と成形性との両立に関して一定の範囲があり、この厚みが厚すぎるとスカート部内面の突起部（アンダーカット部）を型抜きすることが困難となり、一方リング状部材の厚みが薄すぎると、前記突起部（アンダーカット部）で容器口部を保持する力が不十分となって、密封保持性が不十分となりやすいという問題がある。
リング状部材の厚みを、型抜きが容易に行われる範囲で全体として一定の厚みにした場合、スカートの切り欠き部では、突起部も切り欠かれているため、この切り欠き部乃至その近傍での容器口部の保持力が不十分となりやすい傾向がある。
【００２５】
本発明のこの態様によれば、リング状部材のスカート切り欠き部に対応する位置に、径外方向への突起部を形成したので、この突起部に対応する部分が厚肉となり、スカートの切り欠き部乃至その近傍での容器口部の保持力を十分なレベルに保持できるという利点が達成される。即ち、スカートの突起部は切り欠き部により分断されており、分断された突起部の周方向端部が径外方向に最も拡がりやすいが、リング状部材の厚肉部（外方突起部）によるタガ締め力が、この周方向端部に作用するので、閉栓時において満足すべき保持力が達成されるのである。しかも、径外方向への突起部はスカート切り欠き部に対応する位置に設けられているので、スカート部内面の突起部（アンダーカット部）を型抜きすることが容易であるという利点も達成されるものである。
【００２６】
本発明のキャップでは、既に指摘したとおり、リング状部材が把持片となり、橋絡部が破断された後は連結部を作用点としてキャップを容器口部から取り外すため、リング状部材は連結部に接続する位置において白化が生じることを条件とするが、橋絡部が破断された状態では開栓力に負けない機械的強度を有することが要求される。
一方、上記キャップを射出成形又は圧縮成形等で形成する場合、リング状部材の部分では、スカート切り欠き部に対応する部分が樹脂のウエルド部分となり、この部分の機械的強度が不十分となりやすいという傾向も認められる。
本発明のこのタイプのキャップでは、前述した通り、リング状部材のスカート切り欠き部に対応する位置に、径外方向への突起部を形成したので、この突起部に対応する部分が厚肉となり、ウエルド部分の補強も行われており、開封操作が失敗なしに確実に行われるという付加的な利点もある。
【００２７】
本発明では、リング状部材の外周に開封用タブを設けるが、開封用タブが設けられたリング状部材の部分には、タブより内側でしかもリング状部材の下側に、リング状部材内面側からの切り欠き部が設けられていることが、成形性の見地から、即ち型抜きを容易に行うために好ましい。即ち、指との掛かりをよくするため、開封用タブはリング状部材から径外方向に突出させて設けるが、このタブの部分が厚くなると、開封用タブの内側に位置するスカート突起部（アンダーカット部）の型抜きが困難となる。本発明では、タブより内側でしかもリング状部材の下側に、リング状部材内面側からの切り欠き部を設けたため、この切り欠き部が、型抜きの際、スカート突起部（アンダーカット部）の逃がしとなり、型抜きを容易に行うことが可能となる。
また、開封用タブの外面に複数のリブを形成しておくことにより、開封用タブの強度を補強し、またその位置を明示することができる。
【００２８】
本発明のキャップでは、前記リング状部材の下端をキャップ本体スカート部の下端より下側に位置するようにすることができ、こうすることにより、キャップ本体のスカート部下端がリング状部材で隠蔽され、スカート部に器具等を挿入して、橋絡部を破断することなく開栓することを防止でき、これによりタンパーエビデント性を向上させることができる。
【００２９】
また、リング状部材の下端とキャップ本体スカート部の下端とを同一水平面に位置するように設けることもでき、この場合には、空キャップの積載時に橋絡部に荷重等が加わり破断するのを防止することができる。
【００３０】
更にまた、前記連結部の上部或いは下部には、部分的な弱化部を形成しておくことができ、連結部に器具等を挿入して不正な開封を行おうとしたとき、リング状部材が外側に開き、器具の係りが外れやすくなったり、弱化部の変形又は破断、もしくは白化により、一目で不正に扱われたものであることを明示して、タンパーエビデント性が向上する。
【００３１】
本発明のキャップでは、インナープラグをタブ側で相対的に長く、連結部側で相対的に短く、インナープラグが傾斜した端縁を有するようにすることができる。即ち、キャップ本体の開封は、リング状部材の持ち上げにより連結部側から行われることは既に指摘したとおりであるが、この連結部側からの開封に際して、短い方のインナープラグからのリーク（ガス抜き）が有効に行われるので、内容物の吹き出し、即ちブローオフが有効に防止される。
【００３２】
更に、本発明のキャップでは、前記頂板部の外周部分に上方に突出した全周或いは間欠的なプラグを形成しておくことができ、これにより、キャップを打栓した容器を相互に積載したとき、特に、内容物が炭酸ガス飲料のような場合に、内圧によりドーミングした頂板部が押されて、スカート部の係合用突起が径外方向に広がるのを防止して、密封信頼性を高めることができる。
【００３３】
本発明のキャップでは、例えば後述する実施例では、キャップ頂板部の密封係合部としてインナープラグがキャップ本体と一体に成形されているが、この密封係合部は、キャップ本体とは別個に施されたライナーで形成されていてもよい。この場合、低密度ポリエチレン、エチレン系共重合体、各種ゴム乃至熱可塑性エラストマー等を圧縮乃至射出成形により適宜の形状に形成できる。また、アクリル樹脂プラスチゾル、塩化ビニル樹脂プラスチゾル等を既存のスピンライニング法等を用いることにより成形することができる。
【００３４】
また、インナープラグの内面側の頂板部には、ガスバリアー性材料をインサート成形等により設けておくことができ、これによりプラスチックキャップ壁を通してのガスの透過を防止し、内容物の保存性を向上させることができる。ガスバリアー性材料としては、アルミ箔等の金属箔、エチレン−ビニールアルコール共重合体、塩化ビニル樹脂、塩化ビニリデン樹脂、ナイロン樹脂、ガスバリアー性ポリエステル等のガスバリアー性樹脂を挙げることができる。
【００３５】
ガスバリアー性材料の代わりに、或いはガスバリアー性材料と共に、上記頂板部に酸素吸収性の層を設けることもできる。酸素吸収性の層としては、例えば鉄系酸素吸収剤を樹脂中に分散させたものなどを用いることができる。
【００３６】
キャップの成形に用いる樹脂としては、各種プラスチック、例えば、低−、中−又は高−密度ポリエチレン、線状低密度ポリエチレン、ポリプロピレン、熱可塑性ポリエステル、ポリアミド、スチレン系樹脂、ＡＢＳ樹脂等が挙げられる。
【００３７】
本発明においては、上記樹脂に着色顔料を配合してキャップを成形する。着色顔料は、リング状部材の白化を顕著に目立たせるためには、使用する樹脂当たり、２乃至１０重量％の割合で配合されていることが望ましい。
配合し得る着色顔料としては、これに限定されるものではないが、次のものを挙げることができる。
【００３８】
黒色顔料：
カーボンブラック、アセチレンブラック、ランプブラック、アニリンブラック。
黄色顔料：
黄鉛、亜鉛黄、カドミウムイエロー、黄色酸化鉄、ミネラルファストイエロー、ニッケルチタンイエロー、ネーブルスイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ。
橙色顔料：
赤口黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ。
赤色顔料：
ベンガラ、カドミウムレッド、鉛丹、硫化水銀カドミウム、パーマネントレッド４Ｒ、リソールレッド、ピラゾロンレッド、ウォッチングレッドカルシウム塩、レーキレッドＤ、ブリリアントカーミン６Ｂ、エオシンレーキ、ローダミンレーキＢ、アリザリンレーキ、ブリリアントカーミン３Ｂ。
紫色顔料：
マンガン紫、ファストバイオレットＢ、メチルバイオレットレーキ。
青色顔料：
紺青、コバルトブルー、アルカリレーキ、ビクトリアブルーレーキ、フタロシアニンブルー、無金属フタロシアニンブルー、フタロシアニンブルー部分塩素化物、ファーストスカイブルー、インダスレンブルーＢＣ。
緑色顔料：
クロムグリーン、酸化クロム、ピグメントグリーンＢ、マラカイトグリーンレーキ、ファイナルイエローグリーンＧ。
【００３９】
本発明のプラスチックキャップは、上記の着色顔料が配合された樹脂を用い、通常、射出成形、圧縮成形等によりキャップ本体及びリング状部材が一体化した状態で製造される。スカート部とリング状部材との間の切断面（分離面）の成形は、キャップ本体を成形する時に行ってもよいが、通常キャップ本体の成形後にカッター等で切り込みを入れる、カッティング加工を施すことによって形成される。
このため、本発明のキャップは、通常のコアとキャビテイとから成る金型を用いて、能率よく短時間で製造でき、またキャップ各部の精度も高く、不良品の発生も少ないという利点を与える。
【００４０】
【実施例】
以下、本発明を添付図面に基づいて詳細に説明する。
（実施例１）
図１は、本発明のキャップの一実施例を示し、（Ａ）は一部断面側面図、（Ｂ）は底面図、（Ｃ）は、（Ａ）の矢印Ａ方向から見た開封用タブの正面図である。
図２は、図１（Ｂ）のＢ−Ｂ線断面図であり、図３は、図２の一部拡大断面図である。
また図４は、図１のキャップを容器口部に嵌合した状態の図１（Ｂ）のＢ−Ｂ線断面図であり、同様に図５は、図１（Ｂ）のＣ−Ｃ線断面図である。
図６は、リング状部材の突起部とスカート部の切欠き部における開き角度の関係を説明するための図であり、また図７は、図１のキャップを開封する操作を説明するための図である。
【００４１】
図１乃至５において、全体を１で示す本発明のキャップは、概略的に言って、キャップ本体２と連続したリング状部材３とからなる。キャップ本体２は、頂板部４とその外周から垂下しているスカート部５とから成る。
【００４２】
図５及び図６から明らかなように、スカート部５の内周には、容器口部６の外周側の突部７下面と係合する突起８が形成されており、容器口部６を頂板部４の内面に密接させ、密封を行わせるようになっている。
また、頂板部４には、容器口部６の内周面１０と係合するインナープラグ９が形成されている。この具体例では、インナープラグ９の外周面には径外方向への突起部１１が形成されており、容器口部６の内周面１０と圧接係合して密封が一層確実なものとなるようになっている。
【００４３】
リング状部材３は、スカート部５の外面を連続したリングの形で覆うように設けられている。このリング状部材３で覆われたキャップ本体２のスカート部５には、下端からスカート部の途中まで軸線方向に延びる複数個の切り欠き１２が周方向に間隔をおいて設けられている。
切り欠き部１２は、その上方端縁がスカート部の突起部８よりも上方に位置するように設けられていることが、リング状部材３が引き上げられたとき、突起部８の径外方向への拡がりを容易にして、易開栓性を向上させるために好ましい。
このキャップでは、内容物充填時に口部外周に付着した内容物を、切り欠き部１２を通して通水して、洗浄除去できるという利点や、滅菌工程の温水シャワー液を効果的に通液して、容器口部への熱伝導性を高めるという利点が得られる。
【００４４】
キャップ本体２のスカート部５とリング状部材３とは、円弧状乃至周状の切断面１３を介して分離されていると共に、スカート部５とリング状部材３とは、上記切断面１３よりも下側の複数個の破断可能な橋絡部１４と、破断不能な連結部１５を介して一体に形成されている。
【００４５】
キャップ本体スカート部５の外面とリング状部材３の内面とは、キャップ本体２が容器口部６に打栓されている状態（図２及び図３）において、前記切断面１３の部分で相互に密着されている。
【００４６】
更に、リング状部材３の一部には径外方向に突出した開封用タブ１６が形成されており、開栓に際して、この部分を把持してリング状部材３の押し上げができるようになっている。
一方、スカート部５とリング状部材３との連結部１５は、開封用タブ１６の反対側に設けられている。切断面１３は円弧状のものでも、周状（円周状）のものでもよく、この具体例においては、切断面１３は円周状であり、図２に示されるように、連結部１５においては、橋絡部１４の下端縁よりも下方まで樹脂が充填され、破断不能な連結部を形成している。一方、切断面１３を連結部１５を除いて円弧状に形成する場合には、前述した場合のように、樹脂を深く充填するような配慮は不必要になる。
勿論、切断面１３を円弧状に形成する場合には、カッティング加工に際してキャップの位置決めが必要であり、一方切断面を円周状に形成する場合には、カッティングに際して位置決めが不要であり、これらの得失を勘案して加工法が選択される。
【００４７】
開封操作を説明するための図７において、開栓に際しては、リング状部材３を持ち上げることにより、まず橋絡部が破断され、橋絡部が破断された後は、連結部１５に接続する位置（以下、連結部周方向両端部という）１７に開栓力が加わる。この開栓力により連結部側でのスカート部突起部８と容器口部外周６との係合が解除され、連結部１５が上方に持ち上げられ、同時に連結部側のインナープラグ９の引き抜きも開始され、開封操作は完了する。
本発明においては、開封に寄与する開栓力は連結部周方向両端部１７を支点としてリング状部材を曲げるものであるため、リング状部材３の持ち上げを続行することにより、連結部周方向両端部１７には塑性変形が生じ白化するが、少なくともリング状部材３は着色されているため、かかる白化が顕著に目立って、開封されたものであることが、一目瞭然となり、タンパーエビデント性が顕著に向上する。
【００４８】
本実施例のキャップの頂板部４の内面には、インナープラグ９の外側に容器口部の頂面と係合するリング状の小突起部１８と、容器口部の外周面と係合するリング状の小突起部１９とが形成されている。
最も外方の小突起部１９は、容器口部の外周面と係合して容器口部の頂面２０を正しく位置決めするものであるが、勿論この小突起部１９は密封機能を有していてもよい。
一方、この小突起部１９よりも内側に設けられた他方の小突起部１８は下方向に延びており、容器口部の頂面２０とキャップの軸方向に係合して、頂面での密封を行う。
図３によく示されるように、この小突起部１８とインナープラグ９との間には、密封時に小突起部１８の圧縮変形を許容し、また小突起部１８とインナープラグ９とを独立に維持するための溝２１が周状に形成されている。
【００４９】
本発明では、図１乃至図５に明瞭に示される通り、リング状部材３の外周面で、スカート部の切り欠き部１２に対応する位置に径外方向への突起部２２を形成しておくことが好ましい。この突起部２２をリング状部材３に形成することにより、密封保持性と成形性（型抜き性）とを両立させること、即ち、スカート部内面の突起部（アンダーカット部）８を型抜きすることを容易にしながら、前記突起部（アンダーカット部）８で容器口部６を保持する力を十分なレベルとして、密封保持性を高めることができる。
【００５０】
リング状部材３の径外方への突起部２２は、スカート切り欠き部１２に対応する位置に正確に形成されていることが好ましく、この突起部２２の先端（稜線）２３は、図１（Ｂ）に示されるように、スカート切り欠き部１２の中心を通る径方向の線上に位置していることが好ましい。
【００５１】
図面に示す具体例においては、リング状部材３に設ける径外方への突起部２２は、等辺三角形に近い水平断面形状を有しており、これが最もシンプルな形状であるが、突起部の断面形状は、勿論これに限定されず、台形、矩形、半円形、半楕円形、サインウエーブ形などの任意の断面形状を有していてもよい。
【００５２】
突起部２２におけるリング状部材の厚みｄ１は、突起部以外のリング状部材の厚みｄ０に対して、ｄ１／ｄ０の比は一般に１．２乃至１．８、特に１．３乃至１．５の範囲にあるのがよい。一方、上記厚みｄ０  は、キャップを構成する樹脂材料の種類、キャップの大きさ、スカート部突起部の寸法等によっても相違するが、一般に０．７乃至１．７ｍｍ、特に０．９乃至１．３ｍｍの範囲にあることが好ましい。
【００５３】
上記厚み比ｄ１／ｄ０が上記範囲よりも小さい場合、或いは大きい場合の何れも、密封保持性と成形性（型抜き性）とを両立させることが困難となる傾向があるのに対して、上記範囲内にあればこれらの特性を両立させることが可能となる。
また、厚みｄ０が上記範囲よりも小さいと、キャップの容器口部への保持力が不十分となる傾向があり、一方上記範囲よりも大きいと型抜きが困難となる傾向がある。
【００５４】
また図６に示すように、リング状部材における突起部２２の一方の裾２４ａから他方の裾２４ｂへの開き角度（中心からの角度）θ１は、スカート部の切り欠き部１２における一方の端縁２５ａから他方の端縁２５ｂへの最外部での開き角度θ０に対して、θ１／θ０の比は一般に１．５乃至３．０、特に１．８乃至２．５の範囲にあるのがよい。一方、上記θ０は、キャップを構成する樹脂材料の種類、キャップの大きさ、スカート部突起部の周方向寸法等によっても相違するが、一般に２乃至１０゜、特に３乃至８゜の範囲にあることが好ましい。
【００５５】
上記開き角度比θ１／θ０が上記範囲よりも小さい場合、或いは大きい場合の何れも、密封保持性と成形性（型抜き性）とを両立させることが困難となる傾向があるのに対して、上記範囲内にあればこれらの特性を両立させることが可能となる。
また、開き角度θ０  が上記範囲よりも小さいと、容器口部への保持力が過大となって易開封性能が低下したり、或いは型抜きが困難となる傾向があり、一方上記範囲よりも大きいと容器口部への保持力が低下して、密封性能が低下する傾向がある。
【００５６】
本発明では、リング状部材３の外周に開封用タブ１６を設けるが、図２に示すように、開封用タブ１６が設けられたリング状部材３の部分には、開封用タブ１６より内側でしかもリング状部材３の下側に、リング状部材３内面側からの切り欠き部２６が設けられていることが、スカート突起部（アンダーカット部）８の型抜きを容易に行うために好ましい。指との掛かりをよくするため、開封用タブ１６はリング状部材３から径外方向に突出させて設けるが、このタブの部分が厚くなると、開封用タブの内側に位置するスカート突起部（アンダーカット部）８の型抜きが困難となる。開封用タブ１６が設けられたリング状部材３の部分には、開封用タブ１６より内側でしかもリング状部材３の下側に、リング状部材３内面側からの切り欠き部２６を設けたため、この切り欠き部２６が、型抜きの際、スカート突起部（アンダーカット部）８の逃がしとなり、型抜きを容易に行うことが可能となる。
【００５７】
また、本実施例のキャップでは、図１（Ｃ）より明らかなように、開封用タブ１６の外周に、下側の水平リブ２７と、この水平リブより上方に、周方向に小間隔をおいて多数の垂直リブ２８を設けて、開封用タブ１６の強度を補強し、またその位置を明示すると共に、開封に際して指の掛かりをよくし、指による把持が容易に行えるようにしている。
【００５８】
キャップ本体２のスカート部５に設けた軸線方向に延びる複数個の切り欠き部１２の存在により、橋絡部１４が破断され、リング状部材３が連結部１５のみでキャップ本体２と接続している状態において、スカート部５が径外方向に拡がることが可能となり、これにより容器口部の外周突部７下面とスカート部内向き突起８との係合が解除されて、キャップ本体２の容器口部６からの取り外しが容易に行われるものであるため、切り欠き部１２の設置個数や周方向間隔はこれらの観点から適宜決定される。
【００５９】
本発明のキャップにおいて、スカート部５に設ける切り欠き１２の数は、キャップの口径等によっても相違するが、一般に切り欠き１２の個数は２乃至２０個、特に８乃至１２個の範囲となるものが好ましい。
【００６０】
キャップ本体スカート部５と、リング状部材３との間に設ける橋絡部１４の数は、隣り合った切り欠き１２、１２間のスカート片５ａとリング状部材３とが少なくとも１個の橋絡部１４を介して連結されるようなものであることが好ましい。
また、橋絡部１４を設ける位置も種々変化させることができ、例えば図１（Ｂ）に示す具体例では、スカート片５ａの中間位置に１個設けているが、勿論これに限定されず、スカート片５ａの両端に２個設けることもできる。要するに、打栓時において、橋絡部の破損が防止され且つ開栓時にその破断が容易に行われるものであればよく、その位置及び個数は特に制限を受けない。
橋絡部１４の切断面１３方向の断面積は、１個当たり０．１乃至０．８ｍｍ２、特に０．２乃至０．４ｍｍ２の範囲にあることが好ましい。
【００６１】
本発明のキャップでは、図２及び図３に示す通り、キャップ本体の頂板部４の外面の中央に小さい円状の凹部２９を形成させておくことが望ましい。キャップを射出成形で製造する場合、頂板部の外面中央にゲート残部が残留し、これがキャップの円滑な流れの妨害になったり、キャップの移動攪拌時のダスト発生の原因となったり、キャップに指を触れたときに不快感を与える原因となったりするが、上記小凹部２９を天面外面の中央に設けておくと、ゲート残部の先端を凹部２９内に止めておくことができるので、上記の欠点を防止することができる。
【００６２】
（実施例２）
図８乃至図１１は、本発明の他の実施例について説明するための図である。すなわち、図８は、図１（Ｂ）のＢ−Ｂ線断面に対応する断面の一部拡大断面図であり、図９は、同様に図１（Ｂ）のＣ−Ｃ線断面に対応する断面の一部拡大断面である。また図１０は、図１（Ｂ）のＢ−Ｂ線断面に対応する断面において、容器口部に適用された状態の断面図であり、図１１は、同様に図１（Ｂ）のＣ−Ｃ線断面に対応する断面において、容器口部に適用された状態の断面図である。
【００６３】
図８乃至１１に示すキャップは、実施例１に示したキャップと基本的な構成はほぼ同じであるが、このキャップは適用すべき容器の口部形状が異なり、また実施例１においては頂板部３の内面にインナープラグ９の外側に突起１８及び溝２１が設けられているが、この突起及び溝が省略されており、頂板部内面に直接容器口部天面２０が当接する態様である点において実施例１と相違するものである。
このキャップは、容器口部６の外周上部にストレートな短い筒部３０とその下の径外方向への膨出部３１とを有する容器に使用され、リング状小突起部１９が、容器口部の短い筒部３０から膨出部３１の付け根乃至コーナにかけて係合することにより、密封が行われる。
【００６４】
【発明の効果】
本発明によれば、頂板部及びスカート部から成り、スカート部内面には容器口部と係合する突起部が形成され、且つ頂板部内面には容器口部に挿入されるインナープラグが設けられているキャップ本体、該キャップ本体のスカート部の外面を覆うように該キャップ本体に一体に設けられ且つ外周に開封用タブを有する連続リング状部材、前記キャップ本体のスカート部に軸線方向に延びるように周方向に間隔をおいて設けられた複数個の切り欠き部、開封用タブの反対側に設けられた連続リング状部材とスカート部との連結部、スカート部とリング状部材との間に設けられた周状乃至円弧状の切断面、切断面よりも下側或いは上側においてスカート部とリング状部材とを連結する複数個の破断可能な橋絡部から成るキャップであって、キャップの少なくともリング状部材は着色されており、連結部に接続する位置でリング状部材の白化による開封明示が行われるようにしたことにより、確実でしかも一見明白なタンパーエビデント性（ＴＥ）が得られる。しかも、このキャップでは、信頼性のある密封性能と容易且つ確実な易開封性能とが両立しているという利点があり、従来の金属製王冠に代わって、容器の打栓による密封に広く使用することができる。
また、本発明では、リング状部材の前記切り欠き部に対応する位置に径外方向への突起部を設けることにより、スカート部内面の突起部（アンダーカット部）を型抜きすることが容易であり、しかもスカートの切り欠き部乃至その近傍での容器口部の保持力も十分なレベルに維持され、更に開封片としても使用されるリング状部材に開封力に負けない強度が付与されているという作用効果が達成される。
【図面の簡単な説明】
【図１】本発明のキャップの一実施例を示す図であり、（Ａ）は一部断面側面図、（Ｂ）は下面図、（Ｃ）は開封用タブの正面図である。
【図２】図１（Ｂ）におけるＢ−Ｂ線断面図である。
【図３】図２の一部拡大断面図である。
【図４】図１に示すキャップにおいて、容器口部に嵌合された状態における図１（Ｂ）のＢ−Ｂ線断面図である。
【図５】図１に示すのキャップにおいて、容器口部に嵌合された状態における図１（Ｂ）のＣ−Ｃ線断面図である。
【図６】リング状部材の突起部とスカート部の切欠き部における開き角度の関係を説明するための図である。
【図７】本発明のキャップの開栓操作を説明するための図である。
【図８】本発明の他の実施例の図１（Ｂ）のＢ−Ｂ線断面に対応する断面の一部拡大断面図である。
【図９】本発明の他の実施例の図１（Ｂ）のＣ−Ｃ線断面に対応する断面の一部拡大断面図である。
【図１０】本発明の他の実施例の図１（Ｂ）のＢ−Ｂ線断面に対応する断面において、容器口部に適用された状態の断面図である。
【図１１】本発明の他の実施例の図１（Ｂ）のＣ−Ｃ線断面に対応する断面において、容器口部に適用された状態の断面図である。
【符号の説明】
１  キャップ
２  キャップ本体
３  リング状部材
４  頂板（天面）部
５  スカート部
６  容器口部
７  容器外周凹部
８  突起部
９  インナーリング
１０  容器口部内周面
１１  インナーリング突起部
１２  切り欠き
１３  切断面
１４  橋絡部
１５  連結部
１６  開封用タブ
１７  連結部周方向両端部
１８  容器口部頂面
１９  頂面係合用小突起部
２０  容器口部天面
２１  溝部
２２  リング状部材突起部
【図１】
0004349680.tif 000002
【図２】
0004349680.tif 000003
【図３】
0004349680.tif 000004
【図４】
0004349680.tif 000005
【図５】
0004349680.tif 000006
【図６】
0004349680.tif 000007
【図７】
0004349680.tif 000008
【図８】
0004349680.tif 000009
【図９】
0004349680.tif 000010
【図１０】
0004349680.tif 000011
【図１１】
0004349680.tif 000012